(57)【要約】      （修正有）【課題】比較的大きな地震等の際にも容易に倒壊したり、繰り返す地震によって上下の構成部材が特に回転方向にずれて、捻れを生じたりするようなことのない簡易な構成で、現場での組立作業が容易な石材製モニュメントを提供する。【解決手段】積み重ねた芝台、中台、上台、寸輪及び棹石までの５個の石材製の構成部材で構成され、各々上下隣接する上方の構成部材の下部に結合用ほぞ７を、下方の構成部材の上部にほぞ穴６を、各々構成し、各上下隣接する構成部材相互を、上方の構成部材の結合用ほぞ７を下方の構成部材のほぞ穴６に嵌合することで結合する。結合用ほぞ７は、これをほぞ穴６に装入して反時計回りに回すと、４５度の角度位置でその回転が停止するように結合用ほぞ７の所定位置がほぞ穴６のストッパ６ａ１に当接するように構成し、その位置で抜け止めされるように、ほぞ穴６に係合空間６ａを構成した。【選択図】図２
0003119545.tif 000002
【実用新案登録請求の範囲】
【請求項１】
積み重ねた複数の石材製の構成部材からなり、各々上下隣接する上方の構成部材の下部に結合用ほぞを構成し、下方の構成部材の上部にほぞ穴を構成し、各々上下隣接する構成部材相互を、上方の構成部材の結合用ほぞを下方の構成部材のほぞ穴に嵌合することで、結合して構成した石材製モニュメントであって、
前記結合用ほぞをほぞ穴に装入して一定回転方向に回すと、一定角度位置でその回転が停止し、かつ該一定角度位置で抜け止めされるように、該結合用ほぞと該ほぞ穴の相互の形状を構成した石材製モニュメント。
【請求項２】
前記上方の構成部材と前記下方の構成部材とを、前記結合用ほぞと前記ほぞ穴との嵌合によって結合すると共に、その間に配した硬化時に収縮のない接着剤によってその結合を補強することとした請求項１の石材製モニュメント。
【請求項３】
墓石又は灯籠として構成される請求項１又は２の石材製モニュメント。
【考案の詳細な説明】
【技術分野】
【０００１】
本考案は、墓石や灯籠等の石材で製作され、目的とする土地に定着される石材製モニュメントに関する。
【背景技術】
【０００２】
墓石や灯籠のような石材製モニュメントは、古くはそれらを構成する各部材を下方から上方に順次積層状態に積み重ねたに過ぎない物が多く、それらは、若干大きな地震の際には倒壊してしまうようなこともあり、小さな地震でも上下の部材相互が少しずつづれてしまうような問題もあった。例えば、僅かでも傾斜していれば、上部の部材が傾斜下方に向かってずれを生じたり、周囲の条件により上方の部材が反時計回り又は時計回りに少しずつ回転するねじれ現象を生じる等の問題もあった。
【０００３】
そこでこれらの問題に関連していくつかの提案がある。
その１は、墓石の最下段の下台の下面中央に僅かに突出した下面視方形のほぞを形成し、他方、基礎から立ち上げた胴石及び骨堂壁の上に配された覆い板の所定部位に方形の開口部を構成し、前記下台のほぞを前記覆い板の開口部に嵌合させて結合し、更に下台、中台、上台及び棹石はそれぞれ上方の部材の下面に構成した複数の取付孔に下方の部材の上面に立設した連結棒を嵌合させることで、相互の結合を確実なものにしているものである（特許文献１）。なお下台と覆い板とのほぞ及び開口部を介した結合、並びに下台、中台、上台及び棹石の相互間の結合は、更に接着剤によって補強されている。
【０００４】
上記特許文献１の墓石によれば、下台、中台、上台及び棹石の相互間の結合はしっかりとしており、地震の際にも容易に分離して倒壊したり、上方の部材が徐々に回転し、下方の部材との間にねじれ現象を生じてしまうようなことはないものと思われる。しかし、上方の部材の下面に形成した取付孔及び下方の部材から立ち上げた連結棒は、いずれも径が小さく、しかもそれらが複数ずつ構成されているため、それらを正確に一致させつつ行う上方の部材と下方の部材との結合は、結合する上方の部材が重量物であるため、かなり厄介な作業となる。
【０００５】
また下台の下面から突出させた前記ほぞは前記覆い板の開口部に装入しただけであり、接着剤による補強はあるが、若干大きな地震の際には、その鉛直方向の揺れによって剥離が生じ、ほぞと開口部との抜けが生じる虞がある。
【０００６】
その２は、最上部の棹石と最下部の芝台とそれらの間の石材とを、芝台の下部中央から棹石直下の石材まで貫通孔を通じて連結棒を貫通させ、該連結棒上端の雄ねじ部を最上部の棹石の下面に形成した雌ねじ部に螺合し、かつ最下部の芝台下面から突出する雄ねじ部にナットを螺合して固定し、最下部の芝台の下面をアングル材及びボルト・ナット等の固定部材を介して基礎に固定したものである（特許文献２）。なお上下の石材相互は、対応する面の対応する部位にそれぞれ位置決め孔を開口しておき、接合固定の際にそれらの位置決め孔に位置決め軸を挿入して正確な位置決めを行うようにしているものである。
【０００７】
この特許文献２の墓石によれば、石材相互の結合及び最下部の石材と基礎との結合も強固であり、相当大きな地震によっても容易に倒壊することはないものと思われる。また各上下の石材間に位置決め軸が配してあり、これによって積み重ね固定時の位置決めがされるほか、地震の際の回転止めにもなっており、上下の石材のねじれが生じる問題も解決されている。
【０００８】
しかし最下部の芝台と基礎との結合は、アングル材やボルト・ナット等を用いた大がかりな物であり、費用も嵩み、作業も厄介である。更に上下の各部材間に配される位置決め軸は、前記特許文献１の連結棒と同様に、それらの位置決め孔への挿入作業が、対象の石材が重量物であるだけに容易でないという問題がある。
【０００９】
【特許文献１】特開２００５−８３０４４号公報
【特許文献２】特開２００５−７６１９１号公報
【考案の開示】
【考案が解決しようとする課題】
【００１０】
本考案は、以上の従来技術に於ける問題点を解決し、比較的大きな地震等の際にも容易に倒壊したり、繰り返す地震によって上下の構成部材が特に回転方向にずれて、捻れを生じたりするようなことのない簡易な構成の、かつ現場での組立作業が容易な墓石や灯籠等の石材製モニュメントを提供することを解決の課題とする。
【課題を解決するための手段】
【００１１】
本考案の１は、積み重ねた複数の石材製の構成部材からなり、各々上下隣接する上方の構成部材の下部に結合用ほぞを構成し、下方の構成部材の上部にほぞ穴を構成し、各々上下隣接する構成部材相互を、上方の構成部材の結合用ほぞを下方の構成部材のほぞ穴に嵌合することで、結合して構成した石材製モニュメントであって、
前記結合用ほぞをほぞ穴に装入して一定回転方向に回すと、一定角度位置でその回転が停止し、かつ該一定角度位置で抜け止めされるように、該結合用ほぞと該ほぞ穴の相互の形状を構成した石材製モニュメントである。
【００１２】
本考案の２は、本考案の１の石材製モニュメントに於いて、前記上方の構成部材と前記下方の構成部材とを、前記結合用ほぞと前記ほぞ穴との嵌合によって結合すると共に、その間に配した硬化時に収縮のない接着剤によってその結合を補強することとしたものである。
【００１３】
本考案の３は、本考案の１又は２の石材製モニュメントに於いて、該石材製モニュメントとして墓石又は灯籠を採用したものである。
【考案の効果】
【００１４】
本考案１の石材製モニュメントによれば、簡易な構成で、比較的大きな地震の際にも容易に倒壊することがなく、また繰り返す地震によってもその上方の構成部材がその直下の構成部材に対して捩れる捩れ現象等も生じることがなく、更に現場での組立作業も容易に行えるものである。
【００１５】
本考案の２の石材製モニュメントによれば、結合用ほぞとほぞ穴との結合のみではガタ付きが生じざるを得ないが、これを収縮の生じにくい接着剤を介在させることでガタ付きをなくし、地震による揺れが生じた際のガタ付きに起因する結合用ほぞやほぞ穴周辺の損傷を防止することができる。またこれを通じて地震等に起因する倒壊の虞を低下させることができる。
【００１６】
本考案の３の石材製モニュメントによれば、墓石又は灯籠に適用して有効に用いることができる。
【考案を実施するための最良の形態】
【００１７】
本考案は、積み重ねた複数の石材製の構成部材からなる石材製モニュメントに関し、該石材製モニュメントは、それらの各々上下隣接する上方の構成部材の下部に結合用ほぞを構成し、上下隣接する下方の構成部材の上部に該結合用ほぞに対応するほぞ穴を構成し、各々上下隣接する構成部材相互を、上方の構成部材の結合用ほぞを下方の構成部材のほぞ穴に嵌合することで結合したものである。
【００１８】
本考案は、該石材製モニュメントに於いて、前記結合用ほぞをほぞ穴に装入して時計回り又は反時計回りのいずれか設定してある一定回転方向に回すと、一定角度位置でその回転が停止し、かつ該一定角度位置で抜け止めされるように、該結合用ほぞと該ほぞ穴の相互の形状を構成した点に特徴を有する。
【００１９】
該結合用ほぞとほぞ穴とは、以上のような目的を実現できる物であれば、どのような構成でも自由に採用することができる。該結合用ほぞは対応する構成部材の下部から下方に向けて垂下突出させた物であるが、例えば、その直下の部分を首状に細く構成し、それより下方の部分の全部又は一部を該首状の部分より大きく構成したものである。また該結合用ほぞは、その底面視の形状を円形以外の形状とすべきものである。
【００２０】
前記ほぞ穴は、対応する構成部材の上部に開口した穴であり、その入口部の開口形状寸法を該結合用ほぞを挿入可能なそれとする。通常、該結合用ほぞの底面視形状に対応させたそれとするのが適当である。内部の全部又は一部は、該入口部より大きな空間に構成し、該結合用ほぞを該ほぞ穴に挿入して設定した一定回転方向に回転させることを可能にすると共に、その方向に一定角度回転させると、該結合用ほぞの一部が該ほぞ穴空間の一部の壁面に当接して回転が停止させられるように構成する。このとき、該結合用ほぞの首状の部分より下方の大きく構成した部分が、ほぞ穴の入口部より大きく構成した内部空間に進入していることとなって、該結合用ほぞの抜け止めがなされるようにもするものである。
【００２１】
結合用ほぞの対応する構成部材の下部への構成の仕方は、これをほぞ穴に装入して回転させ、その回転が停止させられる一定角度位置まで回転させた状態で、当該の上方の構成部材が下方の構成部材との関係で適正な角度で結合する状態となるように、設定する。
【００２２】
なお、以上の上方の構成部材と下方の構成部材との結合は、前記結合用ほぞと前記ほぞ穴との嵌合による結合に加えて、その間に配した硬化時に収縮のない接着剤による結合で補強することとするのが適当である。なおここで用いる硬化時に収縮のない接着剤とは、文字通り、全く収縮のないそれであることが好ましいが、若干の収縮はあるが、収縮の少ないそれを含む趣旨である。例えば、無収縮モルタル等を採用することができる。
【００２３】
また本考案の石材製モニュメントとは、墓石又は灯籠その他の石積のモニュメント類の全てを含む意味である。またモニュメントは純然たる記念碑類の他にこれに類する物も含む。
【００２４】
従って本考案の石材製モニュメントによれば、上方の構成部材と下方の構成部材との結合が、前者の結合用ほぞを、接着剤と共に、或いは接着剤の充填してある下方の構成部材のほぞ穴に挿入し、これを前記一定角度位置まで設定した回転方向に回転させることのみで行うことが可能であり、こうして構成部材の全てを上下に結合した後は、結合が強固であるため、比較的大きな地震の際にも容易に倒壊することがなく、また前記一定角度位置以上に設定回転方向に回転することができないので、繰り返す地震によっても各上方の構成部材が下方の構成部材に対して該回転方向に捩れる捩れ現象等を生じることもない。なお、いずれの回転方向に対する回転止めをすべきかは、周囲の条件等を考慮して決定すべきであるが、多くの場合は、反時計回りの捻れ現象を阻止すべく構成したものが適当である。従って特別なことがなければ反時計回りの捻れ現象を阻止すべく構成したものを使用するのが適当である。更に、本考案の石材製モニュメントによれば、前記のように、構成が簡単であり、現場での組立作業も容易に行えるものである。
【００２５】
また本考案の石材製モニュメントによれば、結合用ほぞとほぞ穴との結合に加えて接着剤による結合でこれを補強したため、ガタ付きをなくし、地震による揺れが生じた際のガタ付きに起因する結合用ほぞやほぞ穴周辺の損傷を防止することができる。接着剤として硬化時の収縮の少ないそれを採用すればこれはより効果的なものとなる。
【００２６】
本考案の石材製モニュメントは、前記のように、墓石又は灯籠、或いはその他の石積のモニュメント類に適用して有効に用いることができる。
【実施例１】
【００２７】
この実施例１の石材製モニュメントは、墓石に適用したものであり、図１に示したように、下方から、芝台１、中台２、上台３、寸輪４及び棹石５までの５個の石材製の構成部材で構成され、その下方の図示しない納骨堂の上方に立設されるものである。石材は、この実施例１では、御影石（花崗岩）が用いられている。なお、この実施例１は、多くの場合に生じ易い反時計回りの捻れを阻止しうる物として構成した例である。時計回りの捻れを阻止しうる構成は、ここに示す構成に対して、対称的な構成である。
【００２８】
前記芝台１と前記中台２、該中台２と前記上台３、該上台３と前記寸輪４及び該寸輪４と前記棹石５とは、図１に示すように、各々芝台１、中台２、上台３、寸輪４の上面に形成したほぞ穴６に、各々の直上に配される中台２、上台３、寸輪４、棹石５の下面に垂下突出させた結合用ほぞ７を嵌合させて結合固定するものである。各構成部材に構成される結合用ほぞ７及びほぞ穴６は、概ね下方に位置する構成部材のそれらほど大寸法に構成され、上方のそれらほど小寸法になっているが、それら、即ち、各結合用ほぞ７相互及び各ほぞ穴６相互は各々相互に相似形であり、機能も同一であるから、同一符号を付して纏めて説明する。なお各々上下対応する関係にある結合用ほぞ７とほぞ穴６とは、相互の結合に支障のない適切な寸法関係に構成されるべきなのは云うまでもない。
【００２９】
前記結合用ほぞ７は、図１、図２及び図３に示すように、構成部材の下面から垂下させ、四隅を面取りした四角短柱状で、下方拡大状態に構成したものである。これは、また下広がりの四角形角錐状で、四隅に面取りを施したものであるということもできる。
【００３０】
また前記ほぞ穴６は、特に図２、図３及び図４(a)、(b)、(c)に示すように、平面視で四辺形の開口部を有し、各辺毎にその右端から中心を僅かに越えた位置までの間に係合空間６ａを形成したものである。
【００３１】
上記四辺形の開口部の寸法は、前記結合用ほぞ７の下面の四辺形部分の寸法を僅かに越える寸法とし、図２に２点鎖線で示すように、該結合用ほぞ７を該ほぞ穴６の向きに対応させた上でその上方から下降させた場合に容易に装入可能な寸法関係とする。
【００３２】
また前記係合空間６ａは、特に図３及び図４(a)、(b)、(c)に示すように、最上部の開口部縁から下方に向かって外広がりとなり、その角度は、ほぞ穴６に装入され、所定の回転角度、この実施例では４５度だけ反時計回りに回転させられた状態の結合用ほぞ７の角錐状の斜面の角度と対応するものとする。また該各係合空間６ａの左端部は、このほぞ穴６に装入された結合用ほぞ７を反時計回りに回転させた場合に、その四隅部の各々の左側の辺の一部が当接するストッパ６ａ１になるように限界づけて構成する。
【００３３】
この実施例１の石材製モニュメントである墓石は、例えば、上方の構成部材の結合用ほぞ７を下方の構成部材のほぞ穴６に装入結合させながら、順次、芝台１上に中台２を、中台２上に上台３を、上台３上に寸輪４を固定し、更に寸輪４上に棹石５を配置して完成させることができる。このとき、この実施例１では、予めほぞ穴６中に適量の接着剤を充填しておく。接着剤としては、この実施例１では、無収縮モルタルを採用した。なお図中では、結合用ほぞ７及びほぞ穴６の形状等を分かり易くする趣旨で接着剤である無収縮モルタルの表示を省略してある。
【００３４】
前記結合用ほぞ７は、前記し、図２に二点鎖線で示すように、その四辺の向きをほぞ穴６の開口部の向きに一致させた上で、下降させ、該ほぞ穴６中に装入する。その後、該結合用ほぞ７を反時計回り方向に回転させる。これは、当然、該結合用ほぞ７をその下面に配した構成部材（中台２、上台３、寸輪４等）を同方向に回転させることで行う。この実施例では、先に述べたように、４５度回転させると、該結合用ほぞ７の各隅部が該ほぞ穴６のそれぞれ対応する係合空間６ａ、６ａ…に進入し、四辺の右端部が、該ほぞ穴６の各係合空間６ａの左端である前記ストッパ６ａ１に当接してその回転が停止させられる。
【００３５】
以上の回転停止状態に於ける結合用ほぞ７及びほぞ穴６の隙間は、前記のように、予め適量を充填しておいた無収縮モルタルが埋めることとなり、かつこれが硬化することでその結合状態が補強されることになる。また上記隙間を埋める無収縮モルタルにより結合用ほぞ７とほぞ穴６との間のガタ付きも防止されることになる。
【００３６】
以上の回転停止状態は、これを若干詳細に説明すると、その状態で、該結合用ほぞ７の下方の拡大した部分の内、各隅部が、図２及び図３に示すように、前記係合空間６ａ、６ａ…中に進入した状態となっており、これによって該結合用ほぞ７は抜け止めされる訳である。また、前記し、図２に示すように、該結合用ほぞ７の各辺の右端部分が各対応する係合空間６ａのストッパ６ａ１に係止して反時計回りの回転が阻止される訳である。
【００３７】
従ってこの実施例１の墓石によれば、以上のように、上方の構成部材と下方の構成部材との結合を、前者の結合用ほぞ７を、接着剤と共に、或いは接着剤の充填してある下方の構成部材のほぞ穴６に装入し、これを反時計回りに４５度回転させることのみで行うことが可能であり、極めて簡単に結合作業を行うことができる。なお当然ながら、この実施例の墓石は、反時計回りの捻れを阻止するのが適当な一般の場合に用いる。
【００３８】
またこうして構成部材の全てを上下に結合した後は、結合用ほぞ７とほぞ穴６との結合は、それ自体が強固であり、更に無収縮モルタルによって補強されているため、比較的大きな地震の際にも容易に倒壊するような虞がない。更に、結合用ほぞ７とほぞ穴６との隙間に無収縮モルタルが充填されているため、ガタ付きが生じることがなく、地震による揺れが生じた際のガタ付きに起因する結合用ほぞ７やほぞ穴６周辺の損傷を防止することもでき、これに起因する倒壊も防止することができる。
【００３９】
また更に、前記のように、結合用ほぞ７はほぞ穴６の中で、前記結合位置から更に反時計回り方向に回転することができないため、繰り返す地震によっても上方の構成部材が下方の構成部材に対して反時計回り方向に捻れるような現象が生じることはない。
【実施例２】
【００４０】
この実施例２の石材製モニュメントは、図５に示したように、実施例１のそれと同様の外観の墓石に適用したものであり、同様に、下方から、芝台１１、中台１２、上台１３、寸輪１４及び棹石１５までの５個の石材製の構成部材で構成され、その下方の図示しない納骨堂の上方に立設されるものである。石材は、この実施例２でも、御影石（花崗岩）が用いられている。この実施例２も反時計回りの捻れを阻止しうる例に関する物である。これと対称的な構成とすることにより、時計回り方向の捻れを阻止しうる物を構成することも容易にできる。
【００４１】
前記芝台１１と前記中台１２、該中台１２と前記上台１３、該上台１３と前記寸輪１４及び該寸輪１４と前記棹石１５とは、実施例１と同様に、各々芝台１１、中台１２、上台１３、寸輪１４の上面に形成したほぞ穴８に、各々の直上に配される中台１２、上台１３、寸輪１４、棹石１５の下面に垂下突出させた結合用ほぞ９を嵌合させて結合固定するものである。各構成部材に構成される結合用ほぞ９及びほぞ穴８も、実施例１と同様に、概ね下方に位置する構成部材のそれらほど大寸法に構成され、上方のそれらほど小寸法になっているが、各結合用ほぞ９相互及び各ほぞ穴８相互は互いに相似形であり、機能も同一であるから、同一符号を付して纏めて説明する。なお各々上下対応する関係にある結合用ほぞ９とほぞ穴８とは、相互の結合に支障のない適切な寸法関係に構成されるべきなのは云うまでもない。
【００４２】
前記結合用ほぞ９は、特に図６及び図７に示すように、構成部材の下面から垂下させた底面視で長方形を基本形状とする四角短柱状の構成要素で、その相互に対角線の位置にある隅部は大きく面取りし、他の相互に対角線の位置にある隅部は小さく面取りし、かつ下方拡大状態に構成したものである。これは、また下広がりの下面視長方形の四角形角錐状で、前記対応する隅部に大きな面取りと小さな面取りとを施したものであるということもできる。
【００４３】
また前記ほぞ穴８は、特に図６、図７及び図８(a)、(b)、(c)に示すように、平面視で長方形を基本形状とし、その相互に平行な両長辺の右端部にほぼ三角形の拡大部８ａを形成した穴状空間であり、該各拡大部８ａの下方には、その縁部から外方に拡大する係合空間８ｂを形成したものである。
【００４４】
上記開口部の長方形部分の寸法は、前記結合用ほぞ９の下面の長方形部分の寸法を僅かに越える寸法とし、図６に２点鎖線で示すように、該結合用ほぞ９を該ほぞ穴８の向きに対応させた上でその上方から下降させた場合に容易に装入可能な寸法関係とする。
【００４５】
また前記係合空間８ｂは、特に図６、図７及び図８(a)、(b)、(c)に示すように、最上部の開口部縁から下方に向かって外広がりとなり、その角度は、ほぞ穴８に装入され、所定の回転角度、この実施例では４５度だけ反時計回りに回転させられた状態の結合用ほぞ９の角錐状の斜面の角度と対応するものとする。また該各係合空間８ｂの開口部長辺の中央に接続する側の部位は、このほぞ穴８に装入された結合用ほぞ９を反時計回りに回転させた場合に、その長辺部の平面から見た右端の一部が当接するストッパ８ｂ１になる。
【００４６】
この実施例２の墓石は、例えば、上方の構成部材の結合用ほぞ９を下方の構成部材のほぞ穴８に装入結合させながら、順次、芝台１１上に中台１２を、中台１２上に上台１３を、上台１３上に寸輪１４を固定し、更に寸輪１４上に棹石１５を配置して完成させることができる。このとき、この実施例２でも、実施例１と同様に、予めほぞ穴８中に適量の接着剤を充填しておく。この接着剤としては、この実施例２でも、実施例１と同様に、無収縮モルタルを採用した。なお、この実施例２の説明でも、図中では、結合用ほぞ９及びほぞ穴８の形状等を分かり易くする趣旨で接着剤である無収縮モルタルの表示は省略してある。
【００４７】
前記結合用ほぞ９は、前記し、図６に二点鎖線で示すように、その平行する長辺の向きをほぞ穴８の開口部の長辺の向きに一致させ、その開口部上に配した上で下降させ、該ほぞ穴８中に装入する。その後、該結合用ほぞ９を反時計回り方向に回転させる。これは、当然、該結合用ほぞ９をその下面に配した構成部材（中台１２、上台１３、寸輪１４又は棹石１５）を同方向に回転させることで行う。この実施例２では、先に述べたように、４５度回転させると、該結合用ほぞ９の両長辺の平面から見た右端部が該ほぞ穴８のそれぞれ対応する係合空間８ｂ、８ｂに進入し、該両右端部が、該ほぞ穴８の各係合空間８ｂ、８ｂの該当する部位である前記ストッパ８ｂ１に当接してその回転が停止させられる。
【００４８】
以上の回転停止状態に於ける結合用ほぞ９及びほぞ穴８の隙間は、前記のように、予め適量を充填しておいた無収縮モルタルが埋めることとなり、かつこれが硬化することでその結合状態が補強され、更に結合用ほぞ９とほぞ穴８とのガタ付きが防止される。
【００４９】
以上の回転停止状態は、これを若干詳細に説明すると、その状態で、該結合用ほぞ９の下方の拡大した部分の内、長辺の右端部及びこれに隣接する短辺のこれに接続する部位付近が、図６及び図７に示すように、前記係合空間８ｂ、８ｂ中に進入した状態となっており、これによって該結合用ほぞ９は抜け止めされることになる。また、前記し、図６に示すように、該結合用ほぞ９の両長辺の右端部分が各対応する係合空間８ｂのストッパ８ｂ１に当接係止して反時計回りの回転が阻止されることになる。
【００５０】
従ってこの実施例２の墓石によれば、以上のように、上方の構成部材と下方の構成部材との結合を、前者の結合用ほぞ９を、無収縮モルタル等の接着剤と共に、或いは接着剤の充填してある下方の構成部材のほぞ穴８に装入し、これを反時計回りに４５度回転させることのみで行うことが可能であり、極めて簡単に結合組立作業を行うことができる。この実施例の墓石も、云うまでもなく、反時計回りの捻れを防止するのが適当な一般の場合に採用すべきものである。
【００５１】
またこうして構成部材の全てを上下に結合した後は、結合用ほぞ９とほぞ穴８との結合は、それ自体が強固であり、更に無収縮モルタル等の接着剤によって補強されているため、比較的大きな地震の際にも容易に倒壊するような虞がない。更に、結合用ほぞ９とほぞ穴８との隙間に無収縮モルタル等の接着剤が充填されているため、ガタ付きが生じることがなく、地震による揺れが生じた際のガタ付きに起因する結合用ほぞ９やほぞ穴８周辺の損傷を防止することもでき、これに起因する倒壊も防止することができる。
【００５２】
また更に、前記のように、結合用ほぞ９はほぞ穴８の中で、前記結合位置から更に反時計回り方向に回転することができないため、繰り返す地震によっても上方の構成部材が下方の構成部材に対して反時計回り方向に捻れるような現象が生じることもない。
【図面の簡単な説明】
【００５３】
【図１】本考案を適用した実施例１の墓石の接着剤を省略した概略縦断面図。
【図２】実施例１の結合用ほぞがほぞ穴に結合した状態を示す、接着剤を省略した一部切欠平面説明図。
【図３】実施例１の結合用ほぞがほぞ穴に結合した状態を示す、図２中Ｂ−Ｂ線位置の、接着剤を省略した一部切欠縦断面説明図。
【図４】(a)は接着剤及び結合用ほぞを省略した、図２のＡ−Ａ線断面図、(b)は接着剤及び結合用ほぞを省略した、図２のＢ−Ｂ線断面図、(c)は接着剤及び結合用ほぞを省略した、図２のＣ−Ｃ線断面図。
【図５】本考案を適用した実施例２の墓石の接着剤を省略した概略縦断面図。
【図６】実施例２の結合用ほぞがほぞ穴に結合した状態を示す、接着剤を省略した一部切欠平面説明図。
【図７】実施例２の結合用ほぞがほぞ穴に結合した状態を示す、接着剤を省略した、図２中、中央部横方向に断面した一部切欠縦断面説明図。
【図８】(a)は接着剤及び結合用ほぞを省略した、図６のＤ−Ｄ線断面図、(b)は接着剤及び結合用ほぞを省略した、図６のＥ−Ｅ線断面図、(c)は接着剤及び結合用ほぞを省略した、図６のＦ−Ｆ線断面図。
【符号の説明】
【００５４】
１    芝台
２    中台
３    上台
４    寸輪
５    棹石
６    ほぞ穴
６ａ  係合空間
６ａ１  ストッパ
７    結合用ほぞ
８    ほぞ穴
８ａ  拡大部
８ｂ  係合空間
８ｂ１  ストッパ
９    結合用ほぞ
１１  芝台
１２  中台
１３  上台
１４  寸輪
１５  棹石
【図１】
0003119545.tif 000003
【図２】
0003119545.tif 000004
【図３】
0003119545.tif 000005
【図４】
0003119545.tif 000006
【図５】
0003119545.tif 000007
【図６】
0003119545.tif 000008
【図７】
0003119545.tif 000009
【図８】
0003119545.tif 000010